(57)【要約】無線中継ネットワークのためのサービス品質（Quality of  Service）要求（212）および情報配信等の、無線ネットワークに関連する種々の実施形態について説明する。例示的実施形態として、無線中継ネットワークにおける中継局（204）において、QoS関連メッセージを受信することを含みうる方法或いは方式がある。このQoS関連メッセージは、フローに関する１つ以上のQoSパラメータを含むものであることができる（510）。当該方法或いは方式は、中継局（204）において、QoS関連メッセージからQoSパラメータを取り出し、後に、フローに関する許否制御及び／又はスケジューリングのためにQoSパラメータを使用すること（520）を含んでもよい。その他の例示的実施形態についても説明する。【選択図】図2
2009543397.tif 000002
【特許請求の範囲】
【請求項１】
無線中継ネットワークにおける１つ以上の中継局（204）を介して、フローに関するサービス品質（Quality of Service; QoS）要求（212）を移動局（202）から受信すること（410）と、
経路沿いの前記ネットワークにおける前記１つ以上の中継局（204）から、前記フローに関する許否制御インジケータ（214）を受信すること（420）と、
前記１つ以上の中継局からの前記許否制御インジケータに少なくとも部分的に基づき、前記フローに関する許否制御決定を行なうこと（430）と、
を含む、方法。
【請求項２】
前記経路沿いの前記１つ以上の中継局（204）を介して、QoS返信（216）を前記移動局（202）に送信すること（440）をさらに含む、請求項1に記載の方法。
【請求項３】
前記QoS要求（212）は、接続識別子（Connection Identifier; CID）、サービスフローID（Service Flow ID; SFID）、および前記フローに関する１つ以上のQoSパラメータを含む、請求項1に記載の方法。
【請求項４】
無線中継ネットワークにおける中継局（204）においてQoS関連メッセージを受信することであって、前記QoS関連メッセージは、フローに関する１つ以上のQoSパラメータを含むこと（510）と、
後に、前記フローに関する許否制御決定及び／又はスケジューリングのために後でQoSパラメータを使用する（520）べく、前記中継局（204）において前記QoS関連メッセージから前記QoSパラメータを取り出すことと、
を含む、方法。
【請求項５】
前記QoS関連メッセージを受信することは、
前記中継局（204）において、フローに関するQoS要求（212）を移動局（202）から受信すること、または、
前記中継局（204）において、フローに関するQoS要求（216）を基地局（210）から受信すること、
のうちの少なくとも１つを含む、請求項4に記載の方法。
【請求項６】
前記受信したQoS関連メッセージに基づいて、前記フローに関する許否制御を、前記中継局（204）によって実行することと、
前記フローに関する許否制御インジケータ（214）を前記中継局（204）によって基地局（212）に送信することと、
をさらに含む、請求項4に記載の方法。
【請求項７】
前記取り出したQoSパラメータに基づいて、前記フローに関する許否制御を、前記中継局（204）によって実行することと、
前記取り出したQoSパラメータに基づいて、前記中継局（204）によって前記フローをスケジュールリングすることと、
のうちの少なくとも１つをさらに含む、請求項4に記載の方法。
【請求項８】
前記中継局（204）が前記フローに関する許否制御インジケータ（214）を基地局（210）に送信することをさらに含む、請求項4に記載の方法。
【請求項９】
経路沿いの１つ以上の中継局（304）を介して、フローに関するQoS要求（312）を、無線ネットワークにおける移動局（302）から受信すること（610）と、
前記フローに関する許否制御要求（314）を、前記経路沿いの前記１つ以上の中継局（304）に送信すること（620）と、
前記ネットワークにおける前記１つ以上の中継局（304）から、前記フローに関する許否制御応答（316）を受信すること（630）と、
前記１つ以上の中継局（304）からの前記許否制御応答（316）に少なくとも部分的に基づいて、前記フローに関する許否制御決定を行なうこと（640）と、
を含む、方法。
【請求項１０】
前記許否制御要求（314）を前記送信することは、前記フローに関する前記許否制御要求（314）を、前記移動局（302）に直接接続される中継局（304）宛てのユニキャストメッセージとして送信することを含み、前記許否制御要求（314）は、前記フローに関する１つ以上のQoSパラメータを含む（622）、請求項9に記載の方法。
【請求項１１】
前記経路沿いの前記中継局（304）のうちの１つ以上が、前記許否制御要求（314）から前記QoSパラメータを取り出することと、
前記QoSパラメータに基づいて、前記経路沿いの前記１つ以上の中継局（304）のうちの各々によって、前記フローに関するローカルな許否制御を実行することと、
ローカルな許否制御を前記実行することに基づいて、許否制御応答（316）を前記基地局（310）に送信することと、
をさらに含む、請求項10に記載の方法。
【請求項１２】
前記許否制御要求（314）を前記送信することは、
前記フローに関する許否制御要求（314）を、前記１つ以上の中継局（304）の各々に、ユニキャストメッセージとして送信すること、
前記フローに関する許否制御要求（314）を、前記移動局（302）に直接接続される中継局（304）に、ユニキャストメッセージとして送信すること、または、
前記フローに関する許否制御要求（314）を、前記１つ以上の中継局（304）のうちの各々を含むマルチキャストグループ宛てのマルチキャストメッセージとして送信すること（622）、
のうちの少なくとも１つを含む、請求項9に記載の方法。
【請求項１３】
前記経路沿いの前記１つ以上の中継局（304）を介して、QoS返信（318）を前記移動局（302）に送信すること（650）をさらに含む、請求項9に記載の方法。
【請求項１４】
前記経路沿いの前記１つ以上の中継局（304）に、許可済フローインジケータを送信すること（660）をさらに含む、請求項9に記載の方法。
【請求項１５】
前記許可済フローインジケータを前記送信することは、前記フローに関する前記許可済フローインジケータを、前記移動局（302）に直接接続される中継局（304）宛てのユニキャストメッセージとして送信することを含み、前記許可済フローインジケータは、前記フローに関する１つ以上のQoSパラメータを含む、請求項14に記載の方法。
【請求項１６】
前記経路沿いの前記中継局（304）のうちの１つ以上が、前記許可済フローインジケータから前記QoSパラメータを取り出することと、
前記QoSパラメータに基づいて、前記経路沿いの前記１つ以上の中継局（304）のうちの各々によって、前記フローに関するスケジューリングを実行することと、
許可済フロー確認を前記基地局（310）に送信することと、
をさらに含む、請求項15に記載の方法。
【請求項１７】
前記許可済フローインジケータを前記送信することは、前記許可済フローインジケータメッセージを、前記経路沿いの前記１つ以上の中継局（304）に送信することを含み、前記中継局（304）の１つ以上は、前記フローに関する前記許可済フローインジケータに少なくとも部分的に基づき、前記フローに関するスケジューリングを実行する（662）、請求項14に記載の方法。
【請求項１８】
前記許可済フローインジケータを前記送信することは、
前記フローに関する許可済フローインジケータメッセージを、前記１つ以上の中継局（304）のうちの各々に、ユニキャストメッセージとして送信すること、
前記フローに関する許可済フローインジケータメッセージを、移動局（302）に直接接続された中継局（304）に、ユニキャストメッセージとして送信すること、
前記フローに関する許可済フローインジケータメッセージを、前記１つ以上の中継局（304）のうちの各々を含むマルチキャストグループ宛てのマルチキャストメッセージとして送信すること、
のうちの少なくとも１つを含む、請求項14に記載の方法。
【請求項１９】
前記QoS要求、許否制御要求、許否制御応答、許可済フローインジケータのうちの１つ以上は、接続識別子（Connection Identifier; CID）、サービスフローID（Service Flow ID; SFID）、および前記フローに関する１つ以上のQoSパラメータを含む、請求項14に記載の方法。
【請求項２０】
経路沿いの１つ以上の中継局（304）を介して、フローに関するQoS要求（312）を、無線中継ネットワークにおける移動局（302）から基地局（310）において受信すること（710）と、
前記経路沿いの前記１つ以上の中継局（304）の前記フローに関する許否制御を実行することを含む、前記フローに関する全体的な許否制御を前記基地局（310）によって実行すること（720）と、
前記フローに関する許可済フローインジケータを、前記基地局（310）から前記経路沿いの前記１つ以上の中継局（304）に送信すること（730）と、
を含む、方法。
【請求項２１】
前記フローに関する全体的な許否制御を前記基地局（310）によって前記実行することは、前記経路沿いの前記中継局（304）のうちの前記１つ以上からローカルな許否制御情報を受信せずに、前記経路沿いの１つ以上の中継局（304）の前記フローに関する集中型許否制御を実行することを含む、請求項20に記載の方法。
【請求項２２】
前記フローに関する全体的な許否制御を前記基地局（310）によって前記実行することは、
前記経路沿いの前記１つ以上の中継局（304）のうちの各々に、前記フローに関する許否制御要求（314）を送信することと、
前記フローに関する許否制御応答（316）を、前記フローに関するローカルな許否制御決定を提供する前記１つ以上の中継局（304）から受信することと、
前記許否制御応答（316）に基づき、前記フローに関する許否制御を前記基地局（310）によって実行することと、
を含む、請求項20に記載の方法。
【請求項２３】
無線中継ネットワークにおける中継局（304）において、フローに関する許否制御要求（314）を基地局（310）から受信することであって、前記許否制御要求（314）は、前記フローに関する１つ以上のQoSパラメータを含むこと（810）と、
前記フローに関する前記QoSパラメータに基づいて、前記フローに関するローカルな許否制御を前記中継局（304）によって実行すること（820）と、
前記中継局（304）によるローカルな許否制御決定を提供する前記基地局（310）に、前記フローに関する許否制御応答（316）を、前記中継局（304）によって送信すること（830）と、
前記中継局（304）において、前記フローに関する許可済フローインジケータを前記基地局（310）から受信すること（840）と、
を含む、方法。
【請求項２４】
許可済フロー確認を前記中継局（304）によって前記基地局（310）に送信すること（850）をさらに含む、請求項23に記載の方法。
【請求項２５】
無線通信のための装置（900）であって、
・  制御器（904）と、
・  前記制御器（904）に接続されるメモリ（906）と、
・  前記制御器（904）に接続される無線送受信機（902）と、
を備え、
・  無線中継ネットワークにおける中継局（204）においてQoS関連メッセージを受信し、前記QoS関連メッセージは、フローに関する１つ以上のQoSパラメータを含み、
・  前記中継局（204）において、前記QoS関連メッセージから前記QoSパラメータを取り出し、後に、前記フローに関する許否制御決定及び／又はスケジューリングのために前記QoSパラメータを使用する、
ように構成される、装置。
【請求項２６】
無線通信のための装置（900）であって、
・  制御器（904）と、
・  前記制御器（904）に接続されるメモリ（906）と、
・  前記制御器（904）に接続される無線送受信機（902）と、
を備え、
・  無線中継ネットワークにおける中継局（304）において、フローに関する許否制御要求（314）を基地局（310）から受信し、前記許否制御要求（314）は、前記フローに関する１つ以上のQoSパラメータを含み、
・  前記フローに関する前記QoSパラメータに基づき、前記フローに関するローカルな許否制御を前記中継局（304）によって実行し、
・  前記中継局（304）によるローカルな許否制御決定を提供する前記基地局（310）に、前記フローに関する許否制御応答を、前記中継局（304）によって送信し、
・  前記中継局（304）において、前記フローに関する許可済フローインジケータを前記基地局（310）から受信する、
ように、構成される装置。
【発明の詳細な説明】
【優先権の主張】
【０００１】
本出願は、名称が「無線中継ネットワークのためのQoS要求および情報配信」である、2006年6月30日に出願された米国出願第１1/479,976号に基づく優先権の利益を主張し、また、この米国出願第１1/479,976号の開示内容は、参照することによって本明細書に組み込まれる。
【背景】
【０００２】
無線ローカルエリアネットワーク（Wireless Local Area Network; WLAN）アクセスの急速な普及や、WLANサービスエリアの需要増加により、非常に多数のアクセスポイント（Access Point; AP）の設置が行なわれている。しかしながら、現代の多くの無線ネットワークは、必要なサービス品質（Quality of Service; QoS）をほとんどあるいは全く提供しない。QoSは、多くの異なる概念を言及しうるが、QoSは、例えば、異なる種類のトラフィックのサービスの異なるレベルまたは質を提供することを含んでもよい。また、QoSは、フローに関するサービス要件またはQoS要件を満たすために、ネットワークリソースを特定のトラフィックフローのために割り当てたり予約したりすることを許してもよい。多数の異なるパラメータを使用して、例えば、最大遅延またはレイテンシ、最大ジッタ、最大データ転送速度または帯域幅、あるいはその他のQoS関連パラメータ等の、要求されたQoSまたはフロー要件を同定してもよい。QoSは、無線ネットワークにおけるノードが、優先順位の高いトラフィックフローにネットワークリソースを割り当てたり優先付けしたりすることを可能とする。しかしながら、無線ネットワークがより複雑になるにつれとするるとがきう、様々なネットワークフローのためにQoSを提供することがますます難しくなる。
【摘要】
【０００３】
無線中継ネットワーク等の無線ネットワークに関する、ならびに無線中継ネットワークのためのサービス品質（Quality of Service）要求および情報配信に関する種々の実施形態について説明する。
【０００４】
例示的実施形態による方法または方式は、無線中継ネットワークにおける１つ以上の中継局を介して、フローに関するサービス品質（QoS）要求を移動局から受信することと、経路沿いの前記ネットワークにおける１つ以上の中継局から、前記フローに関する許否制御インジケータ（admission control indication）を受信することと、前記１つ以上の中継局からの前記許否制御インジケータに少なくとも部分的に基づき、前記フローに関する許否制御決定（admission control decision）を行なうことを含むことができる。
【０００５】
別の例示的実施形態による方法または方式は、無線中継ネットワークにおける中継局においてQoS関連メッセージを受信することを含んでもよい。前記QoS関連メッセージは、フローに関する１つ以上のQoSパラメータを含んでもよい。前記方法または方式は、前記中継局において、前記QoS関連メッセージから前記QoSパラメータを取り出し、後に、前記フローに関する許否制御決定及び／又はスケジューリングのために取り出したQoSパラメータを使用することも含むことができる。
【０００６】
別の例示的実施形態による方法または方式は、経路沿いの１つ以上の中継局を介して、フローに関するQoS要求を、無線ネットワークにおける移動局から受信することと、前記フローに関する許否制御要求（admission control request）を、前記経路沿いの前記１つ以上の中継局に送信することと、前記ネットワークにおける前記１つ以上の中継局から前記フローに関する許否制御応答（admission control response）を受信することと、前記１つ以上の中継局からの前記許否制御応答に少なくとも部分的に基づいて、前記フローに関する許否制御決定を行なうことと、を含むことができる。
【０００７】
別の例示的実施形態による方式または方法は、経路沿いの１つ以上の中継局を介して、フローに関するQoS要求を、無線中継ネットワークにおける移動局から、基地局において受信することを含んでもよい。また、前記方式または方法は、前記経路沿いの前記１つ以上の中継局の前記フローに関する許否制御を実行することを含む、前記フローに関する全体的な許否制御を前記基地局によって実行することと、前記フローに関する許可済フローインジケータ（admitted flow indication）を、前記基地局から前記経路沿いの前記１つ以上の中継局に送信することと、を含むことができる。
【０００８】
さらに別の例示的実施形態によると、無線中継ネットワークにおける中継局において、フローに関する許否制御要求を基地局から受信することを含んでもよい。前記許否制御要求は、前記フローに関する１つ以上のQoSパラメータを含んでもよい。前記方式または方法は、前記フローに関する前記QoSパラメータに基づいて、前記フローに関するローカルな許否制御を前記中継局によって実行することと、前記中継局によるローカルな許否制御決定を提供する基地局に、フローに関する許否制御応答を、前記中継局によって送信することと、前記中継局において、前記フローに関する許可済フローインジケータを前記基地局から受信することと、を含んでもよい。
【図面の簡単な説明】
【０００９】
【図１】例示的実施形態に従う無線ネットワークを示す図である。
【００１０】
【図２】例示的実施形態に従うサービス品質の情報配信に関する動作を示すタイミング図である。
【００１１】
【図３】別の例示的実施形態に従うサービス品質の情報配信に関する動作を示すタイミング図である。
【００１２】
【図４】例示的実施形態に従うサービス品質の情報配信を示すフローチャートである。
【００１３】
【図５】別の例示的実施形態に従うサービス品質の情報配信を示すフローチャートである。
【００１４】
【図６】さらに別の例示的実施形態に従うサービス品質の情報配信を示すフローチャートを示す。
【００１５】
【図７】さらに別の例示的実施形態に従うサービス品質の情報配信を示すフローチャートである。
【００１６】
【図８】別の例示的実施形態に従うサービス品質の情報配信を示すフローチャートである。
【００１７】
【図９】例示的実施形態に従う無線ノードに設けられ得る装置を示すブロック図である。
【００１８】
【図１０】例示的実施形態に従う無線中継ネットワークを示す図である。
【詳細な説明】
【００１９】
本明細書に記載の種々の実施形態は、IEEE802.11ネットワーク、IEEE802.16ネットワーク、セルラネットワーク、またはその他の無線ネットワーク等の多種多様なネットワークおよび技術に適用可能であってもよい。その他の例示的実施形態において、必須ではないが、複数のメッシュポイント（例えば、アクセスポイント（Access Point; AP）または基地局（Base Station; BS）が有線リンクまたは無線リンクを介して接続され得る無線メッシュネットワーク等の環境に、種々の例および実施形態を適用してもよい。本明細書に記載される１つ以上の実施形態は、アドホック動作モードにおいて適用可能であってもよい。当該モードにおいて、局（Station）またはノード（Node）は、共にネットワークを形成し、AP無しで直接通信することができる。種々の実施形態は、無線ノード（メッシュポイント、局、またはSTA）、アクセスポイント、基地局、中継局、およびその他の種類のノード等を含む多種多様の無線ノードに適用可能であることができ、また、無線ネットワークおよび有線ネットワークを含む多種多様のネットワークに適用可能である。用語の「ノード」は、例えば、無線局（STA）、APまたは基地局、メッシュポイント、中継局（または、中間無線ノード）、あるいはその他の無線コンピューティング機器を表すことができる。
【００２０】
無線ネットワークにおいて、少なくとも場合により、QoS要求、QoSパラメータ、およびその同等物等のサービス品質（Quality of Service; QoS）関連情報を、種々のノード、メッシュポイント、AP等に配信し、種々のトラフィックフローにネットワークリソースを割り当て、引き当て、または管理することが望ましいことがある。フローには、例えば、１つ以上のパケット、フレーム、または例えばノードから伝送されるその他のデータユニットが含まれてもよい。伝送ノードに関連付けられるフローは１つであってもよい。またノードは、例えば、多数のフローを同時に伝送してもよい。例示的実施形態によると、中継局は、QoS要求からQoSパラメータを取り出し、及び／又はそのリソースを管理するように返信してもよい。別の実施形態において、中継局は、許否制御メッセージを基地局に送信してもよい。許否制御情報は、例えば、中継局に関するリソースおよびその他の情報を含んでもよい。
【００２１】
別の実施形態によると、基地局は、許否制御要求を経路上の中継局に送信し、許否制御応答を中継局から受信してもよい。許否制御応答は、１つ以上のフローのためのネットワークリソースを管理するために基地局が使用しうるリソース及び／又はその他の情報を含んでもよい。別の実施形態によると、基地局は、許可済フローインジケータ（admitted flow indication）を中継局に送信して、許可されたフローについて中継局に報告してもよい。
【００２２】
さらに、鍵付きハッシュメッセージ認証コード（keyed-hash message authentication code）やHMAC等の認証コードを使用して、種々のメッセージを保護してもよい。HMACは、秘密鍵と組み合せて暗号ハッシュ機能を使用して計算されるタイプのメッセージ認証コード（Message Authentication Code; MAC）である。その他のMACと同様に、HMACまたはその他の認証キーを使用して、例えば、メッセージのデータ完全性および信憑性を同時に検証してもよい。
【００２３】
図1は、例示的実施形態に従う無線メッシュネットワーク100を示す図である。例示的実施形態において、種々の実施形態は、例えば図1に示されるような無線メッシュネットワークまたはその他の無線ネットワーク等のネットワークに適用可能であってもよい。メッシュネットワーク100は、単なる例示的なネットワークに過ぎず、種々の実施形態は、多種多様の無線ネットワークおよびシステムに適用してもよい。
【００２４】
例示的実施形態によると、無線メッシュネットワークは、無線リンクまたは有線リンクに相互接続されるメッシュポイント（Mesh Point; MP）の一群であると考えられ得る。各MPは、例えば、アクセスポイント（Access Point; AP）、基地局（Base Station; BS）、またはその他の無線ノードであってもよい。例えば、無線メッシュネットワークは、メッシュトポロジーを全体的に用いてもよく、あるいはメッシュトポロジーを部分的に用いてもよい。全体的なメッシュトポロジーにおいて、各ノード（またはメッシュポイント）は、その他のMPの各々と無線リンクを介して直接接続されてもよい。部分的なメッシュトポロジーにおいて、メッシュポイントは、メッシュネットワークにおけるその他のメッシュポイントのうちの、いくつかであるが必ずしも全てとは限らないメッシュポイントに接続されてもよい。
【００２５】
図1に示される例示的無線メッシュネットワーク100において、メッシュポイントMP1、MP2、およびMP3は、無線リンク（及び／又は有線リンク）を介して相互接続されてもよい。また、各メッシュポイントは、その局部セルにおける１つ以上の無線局に接続されてもよい。例えば、MP1は、セル104に位置し、無線リンクを介してセル104内の局STA2およびSTA3に接続される。MP2は、セル106に位置し、無線リンクを介して局STA1に接続される。MP3は、セル102に位置し、無線リンクを介して局STA4に接続される。また、ネットワーク100（MP1、MP2、およびMP3を含む）は、無線配信システムであると考えられ得る。無線メッシュネットワーク100は、単なる例示的ネットワークであり、本開示はこのネットワークに限定されない。本明細書に記載の種々の実施形態および特徴は、WLANネットワーク、セルラネットワーク、およびその同等物を含む多種多様の無線ネットワークに適用可能であってもよい。
【００２６】
上述のように、無線中継ネットワークは、エンドノード（MS/SS）が、典型的には、中継局（Relay Station; RS）を介してBSまたはAPに接続されるシステムに関する別の例でありうる。図10は、例示的実施形態に従う無線中継ネットワークを示す図である。典型的に、MS/SSとBS/APとの間のトラフィックは、例えば、RSを通過してRSによって処理されてもよい。例えば、中継局（RS）を使用して、ネットワーク範囲を拡張し、及び／又はシステムスループットを向上させてもよい。例えば、RSから送信されるトラフィックは、RS自体によってスケジューリングされてもよく、あるいは代わりにBSによってスケジューリングされてもよい。RS自体にスケジューリングされる場合、BSおよびRSは、例えば、独立してスケジューリングを実行してもよく、RSは、BSからのフレームを受信して場合により復号し、そのフレームをMS/SSに転送する。図10の中継ネットワークに示されるRSは１つのみであるが、中継ネットワークは任意の数の中継局（RS）を含んでもよい。例えば２つまたは３つの中継局が、例えばMSおよびBS間の経路に沿って無線で接続されてもよい。このような中継ネットワークに関する１つの課題は、QoS要求を通信すること、QoSまたは許否制御決定を行なうこと、および例えばネットワークにおける中継局へ許否制御決定またはQoS関連情報を通信することなど、QoSに関連しうる。
【００２７】
図2は、例示的実施形態に従うサービス品質の情報配信に関する動作を示す図200である。図2に示す例において、移動局（MS）202は、（例えば無線リンクを介して）中継局（RS）204（RS1）と無線通信してもよく、中継局（RS）204（RS1）は、（例えば無線リンクを介して）中継局（RS）206（RS2）と通信してもよく、中継局（RS）206（RS2）は、（例えば無線リンクを介して）基地局（BS）210とさらに通信してもよい。例えばMS202、RS204、RS206、およびBS210を含み得る経路を確立して、MS202が、例えばBS210と通信可能になってもよい。
【００２８】
はじめに、MS202は、BS210とアソシエーションしていてもよく、また、RS204および206を介してBS210と通信してもよい。BS210は、狭域ネットワーク（Local Area Network; LAN）、広域ネットワーク（Wide Area Network; WAN）、インターネット、またはその他のネットワーク等であってもよい有線ネットワーク等のネットワーク（図示せず）と接続されてもよい。図2の例において、無線ノード210（例えば、BSまたはAP）、無線ノード204および206（例えば、中継局）、ならびに無線ノード202（例えば、MS/SS）を含む４つの無線ノードが接続される。しかしながら、これは、単なる例示的中継ネットワークであり、任意の数の中継局（RS）をMSとBSとの間に接続してもよい。
【００２９】
２つの例示的実施形態について図2を参照して概説する。第１の実施形態において、経路沿いの各RSは、フローに関する許否制御を実行し、許否制御インジケータをBS210に提供してもよい。次にBS210は、QoS返信メッセージを送信してもよい。このQoS返信メッセージは、例えば、経路沿いの全てのRSが、要求されたQoSにおけるフローを許可した場合に、要求されたQoSまたはサービスレベルにおけるフローを許可する。中継局（RS）のうちの１つ以上（または全部）が、許否制御決定に関与しているため、これは、分散型許否制御の形式であると考えられ得る。第２の実施形態において、経路沿いのRSは、フローに関する許否制御を必ずしも実行しなくてもよいが、BS210が、フローに関して要求されたQoS要求メッセージに基づき、フローに関する集中型許否制御（centralized admission control）を（例えばRSからの入力または許否制御無しで）実行してもよい。
【００３０】
例示的実施形態によると、BSが、例えば計画および管理方式に基づいて、経路沿いの各RSにおけるリソース状況に関する情報を有してもよいため、場合により、BSは、フローに関する集中型許否制御またはトラフィック管理を実行可能であってもよい。また、RSからのトラフィックの全部またはほとんどをBSに送信または転送することによって、場合によっては、例示的実施形態に従い、更新されたトラフィックフロー情報をBSに提供することから、集中型許否制御を実行してもよい。しかしながら、その他の場合において、各リンク沿いのトラフィックまたは無線状態は、より動的に変化してもよい。無線リンク状態がより動的に変化しうる場合、より分散型の許否制御が、集中型の許否制御よりも即座に適合しうるが、どちらの手法を使用してもよい。
【００３１】
図2の例に示されるように、MS202は、RS204およびRS206を介して、サービス品質（QoS）要求メッセージ212をBS210に送信してもよい。すなわち、QoS要求メッセージ212をRS204に伝送してもよく、次に、RS204は、QoS要求メッセージ212をRS206に転送してもよく、次に、RS206は、QoS要求メッセージ212をBS210に転送してもよい。RS204およびRS206を介するMS202からBS210へのホップは、例えば、経路または通信経路と考えられ得る。
【００３２】
QoS要求メッセージ212をMS202から第１の中継局（RS1）204に送信してもよい。QoS要求メッセージ212をMS202によって送信し、トラフィックフローに関するサービス品質（QoS）またはネットワークリソースの割り当てを、BS202から要求してもよい。QoS要求メッセージ212は、接続を識別するための接続識別子または接続ID（Connection ID; CID）と、フローを識別するためのサービスフロー識別子（Service Flow Identifier; SFID）と、フローに関して要求される（または必要とされる）レベルのサービスまたはサービス品質（QoS）を識別する１つ以上のQoSパラメータを含んでもよい。
【００３３】
QoSパラメータは、例えば、サービスレベル、QoS、または要求されるリソースの割り当てに関する任意の情報を含むことができる。例示的実施形態において、フローに関して要求されたサービスレベルのQoSパラメータは、IEEE802.16サービスフロー符号化（IEEE802.16規格の表383を参照）に含まれるパラメータのうちの１つ以上を含んでもよい。例えば、QoSパラメータは、フローに関するトラフィック優先順位、最大持続トラフィック率、最大トラフィックバースト、許容ジッタ、最大レイテンシ等を含んでもよい。IEEE802.11トラフィック仕様（traffic specification; TSPEC）の一部として含まれ得る１つ以上のパラメータまたはその他のパラメータ等の、その他の多数の種類のQoSパラメータを使用してもよい。しかしながら、これらは、単なる例証的例であって、種々の実施形態はこれらに限定されない。
【００３４】
図2に関する第１の例示的実施形態において、中継局204および206は、QoS要求メッセージ212の受信時、例えば、QoS要求メッセージ212を転送する前に、QoS要求メッセージ212からQoSパラメータを取り出し又は入手してもよい。RSがQoS要求メッセージ212を受信すると、RSは、フローに関するQoSパラメータやSFID、CIDを、QoS要求メッセージから取り出してもよい。次に、RSは、QoS要求メッセージを次のホップに転送してもよい（例えば、次のRSへ、または経路における最終RSである場合はBSへ）。
【００３５】
次に、中継局204および206の各々は、要求されたサービスレベルに基づいて、またはフローに関するQoSパラメータセットに基づいて、フローに関するローカルな許否制御を実行してもよい。例えば、RS204、206の各々は、フローに関して要求されたQoS（例えば、トラフィック優先度、最大持続トラフィック率、最大レイテンシ、許容ジッタ、・・・）を、RSにおいて利用可能なネットワークリソースと比較し、次に、フローに関して要求されたQoSに対応するのに十分なリソースがRSにおいて利用可能であるか否かを決定してもよい。フローに関して要求されたQoS（または、要求されたQoSの一部）に対応または適応するのに十分なリソースが利用可能である場合、これらのリソースは、例えば、RSによって引き当てられて、フローに割り当てられてもよい。
【００３６】
次に、各RS204、206は、許否制御インジケータ（Admission Control Indication; ACI）メッセージ214を基地局210に送信してもよい。ACIメッセージ214は、いくつかの情報の中から、例えば、要求されたQoSに対応または適応する中継局の能力に関する情報等の、許否制御決定（このRSに対してローカルである）を含んでもよい。ACIメッセージ214は、例えば、フローに関するQoSが、（１）RSにおいて許可されていないこと、（２）RSにおいて完全に許可されること（例えば、十分なリソースがRSにおいて利用可能であり、要求されたQoSを満たすようにフローに予約されたこと）、あるいは（３）ＲSにおいて部分的に許可または対応可能であること（例えば、RSは一定のサービスレベルを提供又は予約可能であるが、それはフローに関して要求されたQoS又はサービスレベル未満でありうること）を示してもよい。
【００３７】
次に、基地局210は、例えば、RS204および206からのACI（許否制御インジケータ）メッセージ214に基づき、フローに関する全体的な許否制御を実行してもよい。次に、BS210は、中継局204および206から移動局202にQoS返信メッセージ216を返送してもよい。QoS返信メッセージは、フローに関する全体的な許否制御決定を提供してもよく、この全体的な許否制御決定は、RS204、206からの許否制御インジケータ（ACI）メッセージ214に基づいてもよい。例えば、全RS204や206からのACIメッセージが、フローに関して要求されたQoSが許可または対応されることを示す場合、QoS返信も、フローに関するQoSが許可されたことを示してもよい。同様に、１つ以上のRSが、フローに関して要求されたQoSまたは要求されたサービスレベルを拒否した場合（例えばACIメッセージ214がそのことを示すことができる）、QoS返信メッセージ216は、要求されたフローが、例えばBS210によって否定または拒否されたことを示してもよい。また、QoS返信は、例えば、RS204、206等からの１つ以上のACIメッセージ214に基づいて、要求されたQoS未満でありうるQoSまたはサービスレベルを与えてもよい。
【００３８】
別の例示的実施形態において、QoS返信メッセージを受信すると、各RS204、206は、リソースをフローに割り当ててもよく（まだ割り当てられていない場合）、また、フローをスケジューリングしてもよい。
【００３９】
また、例示的実施形態において、QoS要求メッセージ212、ACIメッセージ214、およびQoS返信メッセージ216は、例えば、新しいフローを追加するための動的サービス追加（Dynamic Service Add; DSA）メッセージ、フローに関する何かを変更するための動的サービス変更（Dynamic Service Change; DSC）メッセージ、およびフローのためのリソースを削除または割り当て解除あるいはフローを削除するためのダイナミックサービス削除（Dynamic Service Delete; DSD）メッセージを含む、IEEE802.16DSxメッセージ等の動的サービス（Dynamic Service; DSx）メッセージとして提供されてもよい。
【００４０】
また、本明細書に記載のメッセージの各々（QoS要求メッセージ、ACIメッセージ、QoS返信メッセージ等）は、認証コードまたはHMACを使用して保護されてもよい。BS210は、認証キー（Authentication Key; AK）を配信して、各RSが、各メッセージの信憑性を受信および検証可能にしてもよい。従って、例えば、RS204および206が、認証コードに保護され得るQoS要求メッセージを受信する場合、RS204、206は、QoS要求メッセージの信憑性を検証可能であってもよく、また、例えばBSからの関連認証キー（Authentication Key; AK）をRSが有する場合、含まれるQoSパラメータを使用してQoS要求メッセージに基づいて許否制御を実行してもよい。
【００４１】
図2に関する第２の実施形態において、RS204、206は、ローカルな許否制御を実行せずに（または実行を要求されずに）、許否制御インジケータメッセージ214をBS210に転送してもよい。この場合、BS210は、集中型許否制御を実行して（例えば、RSからの入力またはACIメッセージ無しで）、フローに関する要求QoSの全体的な許否制御決定を示すQoS返信メッセージを送信してもよい。この場合、RS204、206は、QoS返信メッセージ216を受信し、リソースを割り当てまたは引き当てして、QoS返信メッセージ216に提供される許否制御決定に基づいて、フローに関するトラフィックをスケジューリングする場合がある。QoSパラメータ、CID、およびSFIDは、その後フローを受信する際に、トラフィックスケジューリングのためにRSによって使用されてもよい。また、例えば、フローに関して要求されたQoSが認可されたか否か示すQoS返信216は、MS202によって受信されてもよい。
【００４２】
図3は、別の例示的実施形態に従うサービス品質の情報配信に関する動作を示す図300である。図3に示される例において、移動局（MS）302は、中継局304および306（RS1およびRS2）と通信してもよく、中継局304および306は、基地局（BS）310とさらに通信してもよい。はじめに移動局302は、基地局310とアソシエーションしていてもよく、また、中継局（RS）304および306を介して、基地局（BS）310と通信してもよい。
【００４３】
本例において図示されるように、QoS要求メッセージ312は、RS304および306を介してMS302によってBS310に送信されてもよい。QoS要求メッセージ312は、例えば、CID、SFID、および１つ以上のQoSパラメータを含んでもよい。
【００４４】
QoS要求メッセージ312の受信に応答して、基地局（BS）310は、経路上のRSのうちの１つ以上または全部に、要求されたフローに関する許否制御決定を支援するように要求することを決定してもよい。ゆえにBS310は、次に、許否制御（Admission Control; AC）要求メッセージ314を、BS310およびMS302間の経路上にある、RS304および306を含む（例えば全部の）中継局（RS）に送信してもよい。AC要求メッセージ314は、要求されたフローに関するSFID、CID、およびQoSパラメータを含んでもよい。AC要求メッセージ314を使用して、経路沿いの各RSに、特定のQoSに関して識別されたSFIDまたはCIDの許否制御を実行するように要求し、また、このような許否制御からの結果または決定をBS310に提供するように要求してもよい。
【００４５】
AC要求メッセージ314の受信に応答して、各RS304、306は、フローに関して要求されたQoSまたは要求されたサービスレベルに基づいて、フローに関する（ローカル）許否制御を実行してもよい。前述のように、これは、例えば、要求されたQoSまたはサービスレベルを、利用可能なリソースと比較して、要求されたフローに適応するのに十分なリソースが利用可能であるかを決定してもよい。次に、各RSは、許否制御（AC）応答メッセージ316を送信して、フローに関して要求されたQoS（またはその一部）を、RSが許可または認可したか否かを示す。一例示的実施形態において、要求されたフローがRSにより否認または拒否された許可である場合にのみ、RSは、許否制御（AC）応答メッセージ316を送信してもよいが、これは、単なる一例示的実施形態である。
【００４６】
次に、基地局（BS）310は、例えば、RS204および206からのAC応答メッセージ316に基づいて、フローに関する全体的な許否制御を実行してもよい。次にBS310は、QoS返信メッセージ318を、中継局204および206を介して移動局202に送信してもよい。QoS返信メッセージ318は、フローに関する全体的な許否制御決定をMS302に提供してもよい。QoS返信メッセージ318に提供される許否制御決定は、RS304や306からのAC応答メッセージ316に基づいてもよい。例えば、QoS返信メッセージは、例えば、MS302およびBS310間の経路沿いのRS304や306からのAC応答メッセージ316に応じて、要求されたQoSが拒否または否認、許可、または部分的に許可されたことをMS302に通知してもよい。
【００４７】
一定のQoS要件でMS302からのフローを許可した後に、BS310は、許可済フローインジケータ（Admitted Flow Indication; AFI）メッセージ320を送信して、BS310およびMS302間の経路沿いの全RSに、フローの識別およびその関連QoSパラメータ（例えば、許可されたフローに関するCID、SFID、およびQoSパラメータ）について報告してもよい。AFIメッセージ320に提供される情報は、各RSがスケジューリングを実行するために使用されてもよく、また、その情報を使用して、アップリンク（例えば、MSからBS）フローにリソースを認可するか否か、あるいは例えば、許可されていないアップリンクフローからのトラフィックをBS310が転送および却下する代わりに、コンテンションベースの要求の場合に、そのアップリンクトラフィックを転送するか否かを決定してもよい。図3に示されないが、RSは、許可済フロー確認（admitted flow confirmation）メッセージをBS310に送信して、AFIメッセージの受信を確認してもよい。
【００４８】
図2のメッセージと同様に、図3に関して説明されたメッセージのうちの１つ以上は、例えば、動的サービス追加（Dynamic Service Add; DSA）メッセージ、動的サービス変更（Dynamic Service Change; DSC）メッセージ、およびダイナミックサービス削除（Dynamic Service Delete; DSD）メッセージを含む、IEEE802.16DSxメッセージ等の動的サービス（Dynamic Service; DSx）メッセージとして提供されてもよい。
【００４９】
MSおよびBS間の経路において複数の中継局（RS）が存在する場合、いくつかの異なる方式またはフォーマットを使用して、許否制御（AC）要求メッセージ314及び／又は許可済フローインジケータ（AFI）メッセージを送信してもよい。
【００５０】
第１に、AC要求及び／又はAFIメッセージを、MS302およびBS310間の経路上の１つ以上の中継局の各々に送信されるユニキャストメッセージとして送信してもよい。しかしながら、このユニキャストスキームでは、RS毎に別々のメッセージを送信するため、経路上のRSの数が増加するにつれてオーバーヘッドが増加しうる。
【００５１】
第２に、AC要求及び／又はAFIメッセージを、MSに直接接続されるRS宛てのZユニキャストメッセージとして送信してもよい。本例において、メッセージは、MSに最も直接接続されるRS304に送信され、経路沿いの各RSがメッセージを受信および読み取り可能にする。これにより、経路沿いの全RSが使用または読み取る１つのメッセージ伝送することによって、より効果的な方式が提供されてもよい。これは、例えば、保護を使用する場合、認証キーを全RSに配信することを必要としうる。メッセージが経路沿いのRSに到達すると、RSは、信憑性を検証してもよく、例えば、メッセージからパラメータを取り出してもよい。メッセージが許否制御要求メッセージである場合、RSは、許否制御を実行し、許否制御応答メッセージをBSに送信してもよい。
【００５２】
第３に、AC要求及び／又はAFIメッセージを、マルチキャストグループアドレス宛てのマルチキャストメッセージとして送信してもよく、このマルチキャストグループアドレスは、MS302およびBS310間の経路における全RSのアドレス（例えば、MACアドレス）をマルチキャストグループメンバーとして含む。RSがマルチキャストメッセージを受信すると、例えば、経路における各RS（マルチキャストグループのメンバー）は、例えば、規定のマルチキャストツリーに基づき、経路上のその他のRSにマルチキャストメッセージを送ってもよい。マルチキャストグループの全メンバーは、例えば、グループ認証キーを共有してもよい。
【００５３】
図4は、例示的実施形態に従うサービス品質の情報配信を示すフローチャート400である。410において、無線中継ネットワークにおける１つ以上の中継局を介して、サービス品質要求を移動局から受信する。例えば、中継局及び／又は基地局において、サービス品質要求を受信してもよい。
【００５４】
420において、経路沿いのネットワークにおける１つ以上の中継局からのフローに関する許否制御インジケータを受信してもよい。１つ以上の中継局は、QoS要求からQoSパラメータを取り出してもよい。次に、中継局は、許否制御インジケータを基地局に送信してもよい。許否制御インジケータは、いくつかあるインジケータの中から、中継リソース、及び／又はQoS要求に適応する中継局の能力を示してもよい。
【００５５】
430において、フローに関する許否制御決定を、１つ以上の中継局からの許否制御インジケータに基づいて実行してもよい。例えば、基地局は、経路上の中継局が、要求されたQoSを提供可能である場合に、フローに関して要求されたQoSを承認または認可してもよい。あるいは、基地局は、経路沿いの全ての中継局が、要求されたQoSを達成可能であるとは限らないが、例えばより低いQoSに対応可能であるという決定に基づき、異なるQoSを使用または承認してもよい。
【００５６】
実施形態によっては、440において、経路沿いの１つ以上の中継局を介して、QoS返信を移動局に送信してもよい。QoS返信は、いくつかあるパラメータの中から、フローに関して使用されるQoSのインジケータを含み得るQoSパラメータを含んでもよい。経路沿いの中継局は、使用されるQoSを含むQoSパラメータを取り出してもよい。これにより、中継局は、より効果的にリソースを割り当てることが可能になり、また、情報フローをよりうまく管理することが可能になる。
【００５７】
図5は、別の例示的実施形態に従うサービス品質の配信を示すフローチャート500である。510において、無線中継ネットワークにおける中継局において、QoS関連メッセージを受信する。この場合、QoS関連メッセージは、フローに関する１つ以上のQoSパラメータを含んでもよい。
【００５８】
520において、中継局は、QoS関連メッセージからQoSパラメータを取り出し、後で、例えば、フローに関する許否制御決定及び／又はスケジューリングのためにそのQoSパラメータを使用してもよい。
【００５９】
例えば、中継局は、移動局からQoS要求を受信してもよい。中継局は、QoS要求からQoSパラメータを取り出し、QoS要求メッセージを、経路における次の中継局等の次のホップ、または例えば、受信側中継局が経路において最終の中継局である場合は、基地局に転送してもよい。
【００６０】
図6は、さらに別の例示的実施形態に従うサービス品質の配信を示すフローチャート600である。610において、無線ネットワークにおける移動局から、フローに関するQoS要求を受信してもよい。QoS要求は、例えば、経路沿いの１つ以上の中継局を介して受信してもよい。中継局によって及び／又は基地局によってQoS要求を受信してもよい。
【００６１】
620において、フローに関する許否制御要求を、経路沿いの１つ以上の中継局に送信してもよい。実施形態によっては、622において、許否制御要求は、フローに関する許否制御要求を、１つ以上の中継局の各々に、ユニキャストメッセージとして送信すること、フローに関する許否制御要求を、移動局に直接接続される中継局に、ユニキャストメッセージとして送信すること、あるいはフローに関する許否制御要求を、１つ以上の中継局の各々を含むマルチキャストグループ宛てのマルチキャストメッセージとして送信することとのうちの１つを含んでもよい。例えば、その他のメッセージの種類を、許否制御要求に使用してもよい。
【００６２】
基地局は、許中継局が要求されたQoSに対応するための能力及び／又はリソースを有するかを決定するために、否制御要求を中継局に送信してもよい。中継局は、QoS要求から及び／又は許否制御要求から、QoSパラメータを受信してもよい。
【００６３】
630において、ネットワークにおける１つ以上の中継局から、許否制御応答を受信してもよい。許否制御応答は、例えば、中継局が、フローに関して要求されたQoSに適応するのに十分なリソースを有するか否かというインジケータ（またはローカルな許否制御決定）を含んでもよい。
【００６４】
実施形態によっては、640において、１つ以上の中継局からの許否制御応答に少なくとも部分的に基づいて、フローに関する許否制御決定を、例えば基地局によって行なってもよい。
【００６５】
実施形態によっては、650において、経路沿いの１つ以上の中継局を介して、QoS返信を移動局に送信してもよい。QoS返信は、フローに関するQoSパラメータおよびその他の情報を含んでもよい。
【００６６】
実施形態によっては、660において、許可済フローインジケータメッセージを、経路沿いの１つ以上の中継局に送信してもよい。これにより、中継局は、662において、フローに関する許可済フローインジケータに少なくとも部分的に基づき、リソースおよびフローを管理可能になってもよい。
【００６７】
図7は、さらに別の例示的実施形態に従うサービス品質の配信を示すフローチャートである。
【００６８】
710において、無線中継ネットワークにおける経路沿いの１つ以上の中継局を介して、基地局において、フローに関するQoS要求を受信してもよい。移動局からQoS要求を受信してもよい。
【００６９】
720において、基地局は、経路沿いの１つ以上の中継局のフローに関する許否制御を実行することを含む、フローに関する全体的な許否制御を実行してもよい。
【００７０】
730において、基地局は、フローに関する許可済フローインジケータを、経路沿いの１つ以上の中継局に送信してもよい。
【００７１】
図8は、さらに別の例示的実施形態に従うサービス品質の配信を示すフローチャートである。
【００７２】
810において、無線中継ネットワークにおける中継局は、フローに関する許否制御要求を基地局から受信してもよい。許否制御要求は、フローに関する１つ以上のQoSパラメータを含んでもよい。
【００７３】
820において、中継局は、フローに関するQoSパラメータに基づいて、フローに関するローカルな許否制御を実行してもよい。
【００７４】
830において、中継局は、該中継局によるローカルな許否制御決定を提供する基地局に、フローに関する許否制御応答を送信してもよい。
【００７５】
840において、中継局は、フローに関する許可済フローインジケータを基地局から受信してもよい。中継局は、例えば、許可済フローインジケータに基づいて、フローに関するスケジューリングを実行してもよい。
【００７６】
例示的実施形態においてオプションでありうる850において、中継局は、許可済フロー確認を基地局に送信して、フローに関する許可済フローインジケータの受信を確認してもよい。
【００７７】
図9は、例示的実施形態に従う無線ノードに設けられ得る装置900を示すブロック図である。例示的無線ノードは、例えば、信号を送受信するための無線送受信機902と、局の動作制御ならびに命令またはソフトウェアの実行のための制御器904と、データ及び／又は命令を格納するためのメモリ906とを備えてもよい。制御器904は、種々のタスクを実行するまたは例えば図1〜8のいずれかに記載されるように動作するため等の、上述の種々のタスクおよび機能を実行するように、プログラム可能であり、かつソフトウェアあるいはメモリまたはその他のコンピュータ媒体に格納されるその他の命令を実行可能である。
【００７８】
本明細書に記載の種々の技術の実装は、デジタル電子回路において、あるいはコンピュータハードウェア、ファームウェア、ソフトウェア、またはその組み合わせにおいて実装されてもよい。実装は、コンピュータプログラム製品、つまり、機械可読記憶デバイスまたは伝播信号等の情報担体において有形に具現化されるコンピュータプログラムのように実装されて、プログラム可能プロセッサ、コンピュータ、または多数のコンピュータ等のデータ処理装置により実行され、またはそのデータ処理装置の動作を制御してもよい。上述のようなコンピュータプログラム等のコンピュータプログラムは、コンパイラ型またはインタープリタ型言語を含む任意の形式のプログラミング言語で書き込み可能であり、また、スタンドアロンプログラムとして、あるいはモジュール、コンポーネント、サブルーチン、またはコンピュータ環境における使用に適したその他のユニットとして含む任意の形式で配置可能である。コンピュータプログラムは、１つのサイトにおいてあるいは多数のサイト間に分散されて、１つのコンピュータまたは多数のコンピュータ上で実行されるように配置可能であり、また、通信ネットワークによって相互接続可能である。
【００７９】
方法の各段階は、１つ以上のプログラム可能なプロセッサによって実行されてもよい。このプログラム可能なプロセッサは、入力データで動作し、かつ出力を生成することによって機能を実行するように、コンピュータプログラムを実行する。また、方法のステップは、ハードウェア、あるいは、例えばフィールドプログラマブルゲートアレイ（Field Programmable Gate Array; FPGA）または特定用途向け集積回路（Application-Specific Integrated Circuit; ASIC）等の専用論理回路として実行されてもよく、また、装置は、そのハードウェアまたは専用論理回路として実装されてもよい。
【００８０】
記載された実装に関する特定の特徴について本明細書に説明されたが、多くの修正、代替、変更、およびその同等物が当業者によって考察されるだろう。ゆえに、種々の実施形態の真の趣旨内にあるこのような修正および変更の全てを、添付の請求項が包含することを意図していることを理解されたい。
【図１】
2009543397.tif 000003
【図２】
2009543397.tif 000004
【図３】
2009543397.tif 000005
【図４】
2009543397.tif 000006
【図５】
2009543397.tif 000007
【図６】
2009543397.tif 000008
【図７】
2009543397.tif 000009
【図８】
2009543397.tif 000010
【図９】
2009543397.tif 000011
【図１０】
2009543397.tif 000012
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
無線中継ネットワークにおける１つ以上の中継局（204）を介して、フローに関するサービス品質（Quality of Service; QoS）要求（212）を移動局（202）から受信すること（410）と、
経路沿いの前記ネットワークにおける前記１つ以上の中継局（204）から、前記フローに関する許否制御インジケータ（214）を受信すること（420）と、
前記１つ以上の中継局からの前記許否制御インジケータに少なくとも部分的に基づき、前記フローに関する許否制御決定を行なうこと（430）と、
を含む、方法。
【請求項２】
前記経路沿いの前記１つ以上の中継局（204）を介して、QoS返信（216）を前記移動局（202）に送信すること（440）をさらに含む、請求項1に記載の方法。
【請求項３】
前記QoS要求（212）は、接続識別子（Connection Identifier; CID）、サービスフローID（Service Flow ID; SFID）、および前記フローに関する１つ以上のQoSパラメータを含む、請求項1又は2に記載の方法。
【請求項４】
無線中継ネットワークにおける中継局（204）においてQoS関連メッセージを受信することであって、前記QoS関連メッセージは、フローに関する１つ以上のQoSパラメータを含むこと（510）と、
後に、前記フローに関する許否制御決定及び／又はスケジューリングのために後でQoSパラメータを使用する（520）べく、前記中継局（204）において前記QoS関連メッセージから前記QoSパラメータを取り出すことと、
を含む、方法。
【請求項５】
前記QoS関連メッセージを受信することは、
前記中継局（204）において、フローに関するQoS要求（212）を移動局（202）から受信すること、または、
前記中継局（204）において、フローに関するQoS要求（216）を基地局（210）から受信すること、
のうちの少なくとも１つを含む、請求項4に記載の方法。
【請求項６】
前記受信したQoS関連メッセージに基づいて、前記フローに関する許否制御を、前記中継局（204）によって実行することと、
前記フローに関する許否制御インジケータ（214）を前記中継局（204）によって基地局（212）に送信することと、
をさらに含む、請求項4又は5に記載の方法。
【請求項７】
前記取り出したQoSパラメータに基づいて、前記フローに関する許否制御を、前記中継局（204）によって実行することと、
前記取り出したQoSパラメータに基づいて、前記中継局（204）によって前記フローをスケジュールリングすることと、
のうちの少なくとも１つをさらに含む、請求項4から6のいずれかに記載の方法。
【請求項８】
前記中継局（204）が前記フローに関する許否制御インジケータ（214）を基地局（210）に送信することをさらに含む、請求項4から7のいずれかに記載の方法。
【請求項９】
経路沿いの１つ以上の中継局（304）を介して、フローに関するQoS要求（312）を、無線ネットワークにおける移動局（302）から受信すること（610）と、
前記フローに関する許否制御要求（314）を、前記経路沿いの前記１つ以上の中継局（304）に送信すること（620）と、
前記ネットワークにおける前記１つ以上の中継局（304）から、前記フローに関する許否制御応答（316）を受信すること（630）と、
前記１つ以上の中継局（304）からの前記許否制御応答（316）に少なくとも部分的に基づいて、前記フローに関する許否制御決定を行なうこと（640）と、
を含む、方法。
【請求項１０】
前記許否制御要求（314）を前記送信することは、前記フローに関する前記許否制御要求（314）を、前記移動局（302）に直接接続される中継局（304）宛てのユニキャストメッセージとして送信することを含み、前記許否制御要求（314）は、前記フローに関する１つ以上のQoSパラメータを含む（622）、請求項9に記載の方法。
【請求項１１】
前記経路沿いの前記中継局（304）のうちの１つ以上が、前記許否制御要求（314）から前記QoSパラメータを取り出することと、
前記QoSパラメータに基づいて、前記経路沿いの前記１つ以上の中継局（304）のうちの各々によって、前記フローに関するローカルな許否制御を実行することと、
ローカルな許否制御を前記実行することに基づいて、許否制御応答（316）を前記基地局（310）に送信することと、
をさらに含む、請求項10に記載の方法。
【請求項１２】
前記許否制御要求（314）を前記送信することは、
前記フローに関する許否制御要求（314）を、前記１つ以上の中継局（304）の各々に、ユニキャストメッセージとして送信すること、
前記フローに関する許否制御要求（314）を、前記移動局（302）に直接接続される中継局（304）に、ユニキャストメッセージとして送信すること、または、
前記フローに関する許否制御要求（314）を、前記１つ以上の中継局（304）のうちの各々を含むマルチキャストグループ宛てのマルチキャストメッセージとして送信すること（622）、
のうちの少なくとも１つを含む、請求項9に記載の方法。
【請求項１３】
前記経路沿いの前記１つ以上の中継局（304）を介して、QoS返信（318）を前記移動局（302）に送信すること（650）をさらに含む、請求項9から12のいずれかに記載の方法。
【請求項１４】
前記経路沿いの前記１つ以上の中継局（304）に、許可済フローインジケータを送信すること（660）をさらに含む、請求項9から13のいずれかに記載の方法。
【請求項１５】
前記許可済フローインジケータを前記送信することは、前記フローに関する前記許可済フローインジケータを、前記移動局（302）に直接接続される中継局（304）宛てのユニキャストメッセージとして送信することを含み、前記許可済フローインジケータは、前記フローに関する１つ以上のQoSパラメータを含む、請求項14に記載の方法。
【請求項１６】
前記経路沿いの前記中継局（304）のうちの１つ以上が、前記許可済フローインジケータから前記QoSパラメータを取り出することと、
前記QoSパラメータに基づいて、前記経路沿いの前記１つ以上の中継局（304）のうちの各々によって、前記フローに関するスケジューリングを実行することと、
許可済フロー確認を前記基地局（310）に送信することと、
をさらに含む、請求項15に記載の方法。
【請求項１７】
前記許可済フローインジケータを前記送信することは、前記許可済フローインジケータメッセージを、前記経路沿いの前記１つ以上の中継局（304）に送信することを含み、前記中継局（304）の１つ以上は、前記フローに関する前記許可済フローインジケータに少なくとも部分的に基づき、前記フローに関するスケジューリングを実行する（662）、請求項14に記載の方法。
【請求項１８】
前記許可済フローインジケータを前記送信することは、
前記フローに関する許可済フローインジケータメッセージを、前記１つ以上の中継局（304）のうちの各々に、ユニキャストメッセージとして送信すること、
前記フローに関する許可済フローインジケータメッセージを、移動局（302）に直接接続された中継局（304）に、ユニキャストメッセージとして送信すること、
前記フローに関する許可済フローインジケータメッセージを、前記１つ以上の中継局（304）のうちの各々を含むマルチキャストグループ宛てのマルチキャストメッセージとして送信すること、
のうちの少なくとも１つを含む、請求項14に記載の方法。
【請求項１９】
前記QoS要求、許否制御要求、許否制御応答、許可済フローインジケータのうちの１つ以上は、接続識別子（Connection Identifier; CID）、サービスフローID（Service Flow ID; SFID）、および前記フローに関する１つ以上のQoSパラメータを含む、請求項14から18のいずれかに記載の方法。
【請求項２０】
経路沿いの１つ以上の中継局（304）を介して、フローに関するQoS要求（312）を、無線中継ネットワークにおける移動局（302）から基地局（310）において受信すること（710）と、
前記経路沿いの前記１つ以上の中継局（304）の前記フローに関する許否制御を実行することを含む、前記フローに関する全体的な許否制御を前記基地局（310）によって実行すること（720）と、
前記フローに関する許可済フローインジケータを、前記基地局（310）から前記経路沿いの前記１つ以上の中継局（304）に送信すること（730）と、
を含む、方法。
【請求項２１】
前記フローに関する全体的な許否制御を前記基地局（310）によって前記実行することは、前記経路沿いの前記中継局（304）のうちの前記１つ以上からローカルな許否制御情報を受信せずに、前記経路沿いの１つ以上の中継局（304）の前記フローに関する集中型許否制御を実行することを含む、請求項20に記載の方法。
【請求項２２】
前記フローに関する全体的な許否制御を前記基地局（310）によって前記実行することは、
前記経路沿いの前記１つ以上の中継局（304）のうちの各々に、前記フローに関する許否制御要求（314）を送信することと、
前記フローに関する許否制御応答（316）を、前記フローに関するローカルな許否制御決定を提供する前記１つ以上の中継局（304）から受信することと、
前記許否制御応答（316）に基づき、前記フローに関する許否制御を前記基地局（310）によって実行することと、
を含む、請求項20又は21に記載の方法。
【請求項２３】
無線中継ネットワークにおける中継局（304）において、フローに関する許否制御要求（314）を基地局（310）から受信することであって、前記許否制御要求（314）は、前記フローに関する１つ以上のQoSパラメータを含むこと（810）と、
前記フローに関する前記QoSパラメータに基づいて、前記フローに関するローカルな許否制御を前記中継局（304）によって実行すること（820）と、
前記中継局（304）によるローカルな許否制御決定を提供する前記基地局（310）に、前記フローに関する許否制御応答（316）を、前記中継局（304）によって送信すること（830）と、
前記中継局（304）において、前記フローに関する許可済フローインジケータを前記基地局（310）から受信すること（840）と、
を含む、方法。
【請求項２４】
許可済フロー確認を前記中継局（304）によって前記基地局（310）に送信すること（850）をさらに含む、請求項23に記載の方法。
【請求項２５】
無線通信のための装置（900）であって、
・  制御器（904）と、
・  前記制御器（904）に接続されるメモリ（906）と、
・  前記制御器（904）に接続される無線送受信機（902）と、
を備え、
・  無線中継ネットワークにおける中継局（204）においてQoS関連メッセージを受信し、前記QoS関連メッセージは、フローに関する１つ以上のQoSパラメータを含み、
・  前記中継局（204）において、前記QoS関連メッセージから前記QoSパラメータを取り出し、後に、前記フローに関する許否制御決定及び／又はスケジューリングのために前記QoSパラメータを使用する、
ように構成される、装置。
【請求項２６】
無線通信のための装置（900）であって、
・  制御器（904）と、
・  前記制御器（904）に接続されるメモリ（906）と、
・  前記制御器（904）に接続される無線送受信機（902）と、
を備え、
・  無線中継ネットワークにおける中継局（304）において、フローに関する許否制御要求（314）を基地局（310）から受信し、前記許否制御要求（314）は、前記フローに関する１つ以上のQoSパラメータを含み、
・  前記フローに関する前記QoSパラメータに基づき、前記フローに関するローカルな許否制御を前記中継局（304）によって実行し、
・  前記中継局（304）によるローカルな許否制御決定を提供する前記基地局（310）に、前記フローに関する許否制御応答を、前記中継局（304）によって送信し、
・  前記中継局（304）において、前記フローに関する許可済フローインジケータを前記基地局（310）から受信する、
ように、構成される装置。
【国際調査報告】
2009543397.tif 000013
2009543397.tif 000014
2009543397.tif 000015
2009543397.tif 000016